(57)【要約】【課題】勾配の異なる擁壁をさらに簡単に施工できる擁壁を提供する。【解決手段】基礎ブロック２１の上に積み上げされた複数の擁壁用ブロック１０ａを有する擁壁１ｃを提供する。複数の擁壁用ブロック１０ａの各々は、基礎または下側の他の擁壁用ブロックと接する底面部１３と、上側の他の擁壁用ブロックと接する上面部１２と、擁壁の表面またはその下地となる前面部１１と、底面部から部分的に下側へ、または上面部から上側へ突き出た凸部１５とを有し、前面部１１と底面部１３との間の第１の角度θ１が鋭角である。基礎ブロック２１は、底面部１３が水平に対して前面部１１が低くなるように第２の角度θ２で傾いている。【選択図】図６
2019127718.tif 000002
【特許請求の範囲】
【請求項１】
基礎の上に複数の擁壁用ブロックを積み上げすることを有する擁壁の製造方法であって、
前記複数の擁壁用ブロックの各々は、前記基礎または下側の他の擁壁用ブロックと接する底面部と、上側の他の擁壁用ブロックと接する上面部と、前記擁壁の表面またはその下地となる前面部と、前記底面部から部分的に下側へ、または前記上面部から上側へ突き出た凸部とを有し、前記前面部と前記底面部との間の第１の角度θ１が鋭角であり、
前記積み上げすることは、前記基礎の上に前記底面部の前方が低くなるように、水平に対し第２の角度θ２で傾けて設置することを有し、前記第１の角度θ１と前記第２の角度θ２とは以下の条件を満たす、製造方法。
０＜θ１＋θ２≦９０
【請求項２】
請求項１において、
前記積み上げすることの前に、基礎ブロックを配置して前記基礎を施工することを有し、
前記基礎ブロックは、前記底面部と接し、水平に対して前記前面部が低くなるように前記第２の角度θ２で傾いた状態で前記擁壁用ブロックを搭載する搭載部を含む、製造方法。
【請求項３】
請求項２において、
前記基礎ブロックは、前記搭載部の前方に立ち上がり部を含み、
当該製造方法は、さらに、
前記基礎ブロックに前記複数の擁壁用ブロックの最下段の擁壁用ブロックを設置した後に、前記立ち上がり部と前記最下段の擁壁用ブロックとの間にモルタルまたは生コンを注入することを有する、製造方法。
【請求項４】
基礎の上に積み上げされた複数の擁壁用ブロックを有する擁壁であって、
前記複数の擁壁用ブロックの各々は、前記基礎または下側の他の擁壁用ブロックと接する底面部と、上側の他の擁壁用ブロックと接する上面部と、当該擁壁の表面またはその下地となる前面部と、前記底面部から部分的に下側へ、または前記上面部から上側へ突き出た凸部とを有し、前記前面部と前記底面部との間の第１の角度θ１が鋭角であり、前記底面部が水平に対して前記前面部が低くなるように第２の角度θ２で傾いて積み上げされており、前記第１の角度θ１と前記第２の角度θ２とは以下の条件を満たす、擁壁。
０＜θ１＋θ２≦９０
【請求項５】
請求項４において、
前記基礎は基礎ブロックを含み、前記基礎ブロックは、前記底面部と接し、水平に対して前記前面部が低くなるように前記第２の角度θ２で傾いた状態で前記擁壁用ブロックを搭載する搭載部を含む、擁壁。
【請求項６】
請求項４において、
前記搭載部は、水平に対して前記前面部が低くなるように前記第２の角度θ２で傾いた搭載面を含む、擁壁。
【請求項７】
請求項５または６において、
前記基礎ブロックは、前記搭載部の前方に立ち上がり部を含む、擁壁。
【請求項８】
請求項７において、
前記立ち上がり部は、前記搭載部の後部に対応する高さまで立ち上がっている、擁壁。
【請求項９】
請求項７または８において、
前記立ち上がり部の後方の面は前記立ち上がり部の上側が狭くなるように傾いている、擁壁。
【請求項１０】
請求項７ないし９のいずれかにおいて、
前記複数の擁壁用ブロックの最下段の擁壁用ブロックと前記立ち上がり部との間がモルタルまたは生コンが詰められている、擁壁。
【請求項１１】
擁壁を施工する際に、複数の擁壁用ブロックが積み上げされる際の基礎を形成する基礎ブロックであって、
前記複数の擁壁用ブロックの各々は、前記基礎ブロックまたは下側の他の擁壁用ブロックと接する底面部と、上側の他の擁壁用ブロックと接する上面部と、前記擁壁の表面またはその下地となる前面部と、前記底面部から部分的に下側へ、または前記上面部から上側へ突き出た凸部とを有し、前記前面部と前記底面部との間の第１の角度θ１が鋭角であり、さらに、
当該基礎ブロックは、
前記複数の擁壁用ブロックの最下段の擁壁用ブロックの底面部と接し、水平に対して前記前面部が低くなるように第２の角度θ２で傾いた状態で前記擁壁用ブロックを搭載する搭載部と、
前記最下段の擁壁用ブロックと係合するように、前記搭載面の一部が突き出た凸部または前記搭載面の一部が凹んだ凹部とを有し、
前記第１の角度θ１と前記第２の角度θ２とは以下の条件を満たす、基礎ブロック。
０＜θ１＋θ２≦９０
【請求項１２】
請求項１１において、
前記搭載部は、水平に対して前記前面部が低くなるように前記第２の角度θ２で傾いた搭載面を含む、基礎ブロック。
【請求項１３】
請求項１１または１２において、
前記搭載部の前方に立ち上がり部を含む、基礎ブロック。
【請求項１４】
請求項１３において、
前記立ち上がり部は、前記搭載部の後部に対応する高さまで立ち上がっている、基礎ブロック。
【請求項１５】
請求項１３または１４において、
前記立ち上がり部の後方の面は前記立ち上がり部の上側が狭くなるように傾いている、基礎ブロック。
【請求項１６】
請求項１１ないし１５のいずれかにおいて、
前記第２の角度θ２が、約９．９度または約４．８度である基礎ブロック。
【発明の詳細な説明】
【技術分野】
【０００１】
本発明は、擁壁用ブロックを積み上げた擁壁の製造方法および積み上げ用の基礎ブロックに関するものである。
【背景技術】
【０００２】
特許文献１には、擁壁用ブロックの積み上げ方法が記載されている。従来、積み上げ接面となる上面と底面が積み上げ基礎部に対して積み上げ傾斜角度に対応して後方に傾斜するため、積み上げられるブロックの１段毎に背部に裏込めを行ったり、ブロックの上面に突条を設定し、上段に積み上げられるブロックの底面に設定されたこれに対応する形状の嵌合凹溝の嵌合によって積み上げ時の安定を図ったりした上、更に、積み上げられた上下のブロックを挿通して設定される鉄筋部材の挿入と鉄筋挿通孔への生コンの充填によって積み上げ後の安定が図られており、積み上げ時の倒壊防止と積み上げ後の安定のために多くの人手と労力が必要であるという問題があった。特許文献１には、上段位置のブロック底面に前面側に支持直面を有する嵌合突起を設けると共に、これに対応して下段位置のブロック上面に前記嵌合突起と嵌合する嵌合凹陥部を設け、各対応する嵌合突起と嵌合凹陥部を嵌合させながらブロックの積み上げを行うようにしたことが開示されている。
【先行技術文献】
【特許文献】
【０００３】
【特許文献１】特開２００２−１６１５４２号公報
【発明の概要】
【発明が解決しようとする課題】
【０００４】
造成工事あるいは河川の護岸工事には、もたれ擁壁の工事（施工、製造）が行われている。もたれ擁壁は、表面に石積みを設けたり、擁壁用のコンクリートブロックが積み上げられた（積み重ねられた、段積みの）擁壁であり、背面の土にもたれるように土留め用のコンクリートブロック（擁壁用コンクリートブロック）を傾斜させて（勾配があるように）積み上げて擁壁を築造する方法である。これらの擁壁は、土質や法面の高さなどを考慮して勾配が決定され、典型的な擁壁の前面の勾配は、３分勾配（７３．３度）、４分勾配（６８．２度）、および５分勾配（６３．４度）である。
【０００５】
それぞれの勾配の擁壁に適した角度で設計された、コンクリート製の擁壁用ブロックを提供することが提案されている。典型的な擁壁用ブロックは、それぞれの勾配で自立することができるものである。しかしながら、各勾配のブロック、例えば、３種類の異なる勾配のブロックを製造することは、製造メーカにとって負担が大きい。それぞれ異なる勾配のブロックの型枠を用意する必要があり、ブロックの種類ごとに分けたストックヤードも必要となる。擁壁用ブロックは、内部に生コンを注入するなどの都合から形状が複雑であり、そのブロックを製造するための型枠も形状が複雑となるために製造コストが大きくなる。また、最近は景観が重視され、擁壁用ブロックの表面に岩模様などを施すことが要求されている。このために化粧面板が必要となり、これも型枠を準備するための費用が高くなる要因となっている。化粧面板はウレタンゴム、あるいはアルミ鋳物などで製造（成型）される。
【０００６】
一方、３分勾配の自立型の擁壁用ブロックにより、５分勾配のもたれ擁壁を施工しようとすると擁壁用ブロックを自立させることが難しい。このため、擁壁用ブロックを安全に積み上げるためには補強材の手配や施工が追加となり、自立型の擁壁用ブロックのメリットを活かすことができない。
【課題を解決するための手段】
【０００７】
本発明の一態様は、基礎の上に複数の擁壁用ブロックを積み上げすることを有する擁壁の製造方法である。複数の擁壁用ブロックの各々は、基礎または下側の他の擁壁用ブロックと接する底面部と、上側の他の擁壁用ブロックと接する上面部と、擁壁の表面またはその下地となる前面部と、底面部から部分的に下側へ、または上面部から上側へ突き出た凸部とを有し、前面部と底面部との間の第１の角度θ１が鋭角である。この製造方法の積み上げすること（積み上げする工程）は、以下の工程を含む。
１．基礎の上に底面部の前方が低くなるように、水平に対し第２の角度θ２で傾けて設置する。ただし、第１の角度θ１と第２の角度θ２とは以下の条件（１）を満たす。
０＜θ１＋θ２≦９０    ・・・（１）
【０００８】
前面部と底面部との間の第１の角度θ１が、９０度よりも小さい鋭角である擁壁用ブロックは、自立型の擁壁用ブロックであり、水平方向に対して角度θ１で傾いたもたれ擁壁を施工する際に好適である。一方、さらに傾きが大きい、すなわち、水平方向に対する前面の角度が角度θ１よりも小さい傾きのもたれ擁壁を施工する際には、擁壁用ブロックの重心が底面部の範囲の後方の端に近くなり、または底面部の範囲から外れることが多くなる。このため、擁壁用ブロックは自立しにくく、または自立しても安定せず、施工が不安定になりやすく、擁壁用ブロックの設計を変える必要がある。しかしながら、この擁壁用ブロックを逆に、角度θ２の範囲で、前側に傾かせることにより、重心が底面部の範囲に収まった状態で、角度θ１とは異なる擁壁を容易に施工することができる。したがって、第１の角度θ１に固定された擁壁用ブロックを用いて、複数の傾きの擁壁を施工できる。さらに、この擁壁用ブロックは上側または下側の他の擁壁用ブロックと係合するように凸部が設けられているので前側に傾けて底面部が前側に傾いた状態でも滑りにくく、安定して積み上げることができる。
【０００９】
擁壁用ブロックをより安定して積み上げるためには、以下の条件（２）を満たすことが望ましい。
０＜θ２≦θ１    ・・・（２）
【００１０】
この製造方法（施工方法）は、積み上げする工程の前に、基礎ブロックを配置して基礎を施工する工程を有していてもよい。基礎ブロックは、底面部と接し、水平に対して前面部が低くなるように第２の角度θ２で傾いた状態で擁壁用ブロックを搭載する搭載部を含んでもよい。典型的には、搭載部は、水平に対して擁壁用ブロックの前面部が低くなるように第２の角度θ２で傾いた搭載面を含んでいてもよい。
【００１１】
基礎ブロックは、搭載部の前方に立ち上がり部を含んでもよい。この場合、製造方法は、さらに、基礎ブロックに複数の擁壁用ブロックの最下段の擁壁用ブロックを設置した後に、立ち上がり部と最下段の擁壁用ブロックとの間にモルタルまたは生コンを注入する工程を有していてもよい。
【００１２】
本発明の他の態様の１つは、基礎の上に積み上げされた複数の擁壁用ブロックを有する擁壁である。複数の擁壁用ブロックの各々は、基礎または下側の他の擁壁用ブロックと接する底面部と、上側の他の擁壁用ブロックと接する上面部と、当該擁壁の表面またはその下地となる前面部と、底面部から部分的に下側へ、または上面部から上側へ突き出た凸部とを有し、前面部と底面部との間の第１の角度θ１が鋭角であり、底面部が水平に対して前面部が低くなるように第２の角度θ２で傾いて積み上げされており、第１の角度θ１と第２の角度θ２とは条件（１）を満たす。第１の角度θ１と第２の角度θ２とは、さらに条件（２）を満たしてもよい。
【００１３】
基礎は基礎ブロックを含んでもよく、基礎ブロックは、底面部と接し、水平に対して前面部が低くなるように第２の角度θ２で傾いた状態で擁壁用ブロックを搭載する搭載部を含んでもよい。基礎ブロックは、搭載部の前方に立ち上がり部を含んでもよく、複数の擁壁用ブロックの最下段の擁壁用ブロックと立ち上がり部との間がモルタルまたは生コンが詰められていてもよい。搭載部は、水平に対して、擁壁用ブロックの前面部が低くなるように第２の角度θ２で傾いた搭載面を含んでもよい。
【００１４】
本発明のさらに異なる他の態様の１つは、擁壁を施工する際に、複数の擁壁用ブロックが積み上げされる際の基礎を形成する基礎ブロックである。複数の擁壁用ブロックの各々は、基礎ブロックまたは下側の他の擁壁用ブロックと接する底面部と、上側の他の擁壁用ブロックと接する上面部と、擁壁の表面またはその下地となる前面部と、底面部から部分的に下側へ、または上面部から上側へ突き出た凸部とを有し、前面部と底面部との間の第１の角度θ１が鋭角である。
【００１５】
基礎ブロックは、複数の擁壁用ブロックの最下段の擁壁用ブロックの底面部と接し、水平に対して前面部が低くなるように第２の角度θ２で傾いた状態で擁壁用ブロックを搭載する搭載部と、最下段の擁壁用ブロックと係合するように、搭載面の一部が突き出た凸部または搭載面の一部が凹んだ凹部とを有する。第１の角度θ１と第２の角度θ２とは条件（１）を満たし、さらに、条件（２）を満たしてもよい。典型的には搭載部は、搭載面であって、水平に対して前面部が低くなるように第２の角度θ２で傾いた搭載面を含んでいてもよい。
【００１６】
基礎ブロックは、搭載部の前方に立ち上がり部を含んでもよい。立ち上がり部は、搭載面の後部に対応する高さまで立ち上がっていてもよい。立ち上がり部の後方の面は立ち上がり部の上側が狭くなるように傾いていてもよい。第２の角度θ２の一例は、約９．９度または約４．８度である。
【図面の簡単な説明】
【００１７】
【図１】擁壁用ブロックの幾つかの例を示す図。
【図２】擁壁用ブロックを積み上げて擁壁を施工する幾つかの例を示す図。
【図３】擁壁用ブロックの外観を示す図。
【図４】基礎ブロックの外観を示す図。
【図５】擁壁を施工する工程を示す一例。
【図６】擁壁を施工する工程を示す他の例。
【図７】異なる基礎ブロックの外観を示す図。
【図８】同一の擁壁用ブロックを用いて勾配の異なる擁壁を施工する幾つかの例を示す図。
【図９】異なる擁壁用ブロックの例を示す図。
【図１０】異なる基礎ブロックの外観を示す図。
【図１１】異なる擁壁用ブロックおよび基礎ブロックの断面構造を示す図。
【図１２】基礎ブロックに擁壁用ブロックを積んだ状態を示す断面図。
【図１３】異なる基礎ブロックの断面図。
【図１４】異なる基礎ブロックの断面図。
【図１５】パッキンを用いて擁壁を施工する例を示す図。
【図１６】さらに異なる基礎ブロックを用いて擁壁を施工する例を示す図。
【発明を実施するための形態】
【００１８】
図１に、各勾配の擁壁を施工するために製造された自立型の擁壁用ブロックの一例を示している。図１（ａ）は、３分勾配（７３．３度、０．３／１ｍ）の擁壁用のコンクリート製のブロック（擁壁用ブロック、擁壁ブロック）１０ｃであり、図１（ｂ）は、４分勾配（６８．２度、０．４／１ｍ）の擁壁用のコンクリート製のブロック１０ｂであり、図１（ｃ）は、５分勾配（６３．４度、０．５／１ｍ）の擁壁用のコンクリート製のブロック１０ａである。各ブロック１０ａ〜１０ｃは、基礎または下側の他の擁壁用ブロックと接する底面部（底面）１３と、上側の他の擁壁用ブロックと接する上面部（上面）１２と、擁壁の表面またはその下地となる前面部（前面）１１と、底面部１３から部分的に下側へ、または上面部１２から上側へ突き出た凸部１５とを有する。
【００１９】
この例では、各ブロック１０ａ〜１０ｃは、底面部１３から下側に突き出た凸部１５を有し、上面部１２はブロック１０ａ〜１０ｃの前壁１６および後壁１７の上端１６ａおよび１７ａにより構成され、凸部１５は、それら前壁１６および後壁１７の間（間隙）１８に差し込まれるようになっている。底面部１３はブロック１０ａ〜１０ｃの前壁１６および後壁１７の下端１６ｂおよび１７ｂにより構成され、凸部１５は、底面部１３の、前壁１６および後壁１７を連絡（接続）する中間壁１４の下側に設けられている。前壁１６の前方には、岩の模様１９が付されている。岩の模様（岩模様）は、前壁１６に化粧板を取り付けて設けてもよく、岩模様１９が付された前壁１６を含めて擁壁用ブロック１０ａ〜１０ｃを型枠により一体成型してもよい。前壁１６は、岩模様の代わりに天然石が貼り付けられたり、緑化用のシートが貼り付けられたりするものであってもよく、施工する擁壁の前面に要求される機能を果たすように前壁１６を構成したり、前壁部に機能性の板などを貼り付けたりすることができる。
【００２０】
図２に、それぞれの擁壁用ブロック１０ａ、１０ｂおよび１０ｃを水平な（平らな）基礎ブロック２０の上に載せた状態を示している。基礎ブロック２０を水平に設定（配置）し、その上に、それぞれの勾配の擁壁用ブロック１０ａ〜１０ｃを積み上げる（段積みする、積み重ねる）ことにより各勾配の擁壁を製造（施工）できる。図２（ａ）は、基礎ブロック２０に、底面部１３に対する前面部１１の角度θ１（第１の角度）が３分勾配（７３．３度）の擁壁用ブロック１０ｃを積み重ねた状態を示し、３分勾配（７３．３度）の擁壁１ｃを施工できる。図２（ｂ）は、基礎ブロック２０に、底面部１３に対する前面部１１の角度θ１が４分勾配（６８．２度）の擁壁用ブロック１０ｂを積み重ねた状態を示し、４分勾配（６８．２度）の擁壁１ｂを施工できる。図２（ｃ）は、基礎ブロック２０に、底面部１３に対する前面部１１の角度θ１が５分勾配（６３．４度）の擁壁用ブロック１０ａを積み重ねた状態を示し、５分勾配（６３．４度）の擁壁１ａを施工できる。
【００２１】
図３に、擁壁用ブロックの一例として５分勾配の擁壁用ブロック１０ａの概要を示している。他の擁壁用ブロック１０ｂおよび１０ｃの構成も角度θ１以外は共通であり、以降においては、勾配に注目した説明を行うとき以外は、５分勾配の擁壁用ブロック１０ａを擁壁用ブロック１０として説明する。図３（ａ）は斜視図であり、図３（ｂ）は右側面図であり、図３（ｃ）は平面図であり、図３（ｄ）は正面図であり、図３（ｅ）は背面図であり、図３（ｆ）は底面図であり、左側面図は右側面図と対称となる。
【００２２】
この擁壁用ブロック１０は、前壁１６と後壁１７との間隙１８に、前壁１６と後壁１７とを接続するように前後に延びた左右一対の中間壁１４ａおよび１４ｂとを含む。中間壁１４ａおよび１４ｂの下側と、前壁１６の下端１６ｂと、後壁１７の下端１７ｂとの一部が突き出て凸部１５となっており、凸部１５の中心は間隙１８とつながった開口１５ａとなっている。したがって、擁壁用ブロック１０を積み上げた後、上側から生コンを注入した際に、凸部１５の両側の間隙１８および凸部１５の中央の開口１５ａを通して生コンは上側の擁壁用ブロック１０から下側の擁壁用ブロック１０の間隙１８にスムーズに隙間なく充填される。また、要求される強度に応じて、鉄筋を、間隙１８を介して、上下に積み上げられた擁壁用ブロック１０を接続するように挿入できる。
【００２３】
また、この擁壁用ブロック１０は、底面部１３、上面部１２、前面部１１、前壁１６の各面、後壁１７の各面および中間壁１４ａおよび１４ｂの各面が、凸部１５の各面も含めて、擁壁用ブロック１０を製造するための型枠の抜き勾配に対して逆勾配とならない設計となっている。したがって、擁壁用ブロック１０を、型枠を使って一体成型することが可能であり、成型されたパーツを組み合わせる必要はなく、製造コストが抑制できるとともに、高い強度を備えた擁壁用ブロック１０を提供できる。
【００２４】
図４に、基礎ブロック２０の概要を示している。図４（ａ）は平面図、図４（ｂ）は左側面図、図４（ｃ）は正面図であり、底面図は平面図と、背面図は正面図と、また、右側面図は左側面図と対称である。基礎ブロック２０は略方形で、水平方向に平行に延びた前壁２５と、後壁２６と、それを接続する側壁２７ａおよび２７ｂと、中間壁２８とを含む。前壁２５および後壁２６とは同じ高さであり、それぞれの下端２５ｂおよび２６ｂからなる接地面２４に対して、前壁２５の上端２５ａと、後壁２６の上端２６ａとが同じ高さで形成されており、上端２５ａおよび２６ａにより水平な搭載面２２を構成している。また、側壁２７ａおよび２７ｂの上端２７ｃと、中間壁２８の上端２８ａは、前壁２５の上端２５ａと後壁２６の上端２６ａとからなる搭載面２２より下側に凹んだ状態となるように設定されている。このため、前壁２５の上端２５ａと後壁２６の上端２６ａとの間（間隙）２９は、搭載面２２に、最下段（最下層）の擁壁用ブロック１０の底面部１３を搭載したときに、底面部１３から下側に突き出た凸部１５が挿入される凹み２３となり、基礎ブロック２０と擁壁用ブロック１０とが凸部１５と凹部２３とで係合するようになっている。
【００２５】
前壁２５の上端２５ａと後壁２６の上端２６ａとの間（間隙）２９は、さらに、側壁２７ａおよび２７ｂと中間壁２８との間が開口となった構成となっており、上側の擁壁用ブロック１０に注入された生コンが基礎ブロック２０の間隙２９を通って基礎ブロック２０の下側の基礎コンクリートに達し、基礎ブロック２０を含めて擁壁１として一体化されるようになっている。
【００２６】
図５（ａ）に、３分勾配のもたれ擁壁１ｃを施工（製造）する工程を擁壁１ｃの断面図（擁壁用ブロック１０ｃの側面図および基礎ブロック２０の側面図）を用いて示している。施工手順としては、擁壁１ｃを施工する壁面（斜面）２の前方を掘削等し、基礎コンクリート（捨てコンクリート）３を施工して水平面（水平レベル）を形成する。基礎３は、十分な耐荷重を備えた地盤であってもよく、砕石基礎であってもよく、その他の方式の基礎であってもよい。他の実施例においても同様である。次に、二次製品としての基礎ブロック２０を敷設（配置）する。この基礎ブロック２０の上面（搭載面）２２は水平である。また、基礎ブロック２０は上述したように間隙２９により空洞となっているので、基礎ブロック２０を敷設した後、空洞部（間隙）２９に生コンを投入し、地盤（基礎コンクリート）３に密着させることができる。
【００２７】
次に、基礎ブロック２０に３分勾配用の擁壁用ブロック１０ｃを積み上げる（段積みする、積み重ねる）。それぞれの擁壁用ブロック１０ｃは、水平な面の上に自立するように設計されている。したがって、基礎ブロック２０の水平な搭載面２２上に積まれた最下段の擁壁用ブロック１０ｃは自立し、その擁壁用ブロック１０ｃの上面部１２も水平になるので、その上の順次積層される擁壁用ブロック１０ｃも自立した状態で積み重ねられる。また、擁壁１ｃの前面（表側）１９または１１の勾配は擁壁用ブロック１０ｃにより３分となる。実際の施工においては、一段目（最下段）の擁壁用ブロック１０ｃが設置されると、背面（擁壁用ブロック１０ｃと斜面２との間）に砕石４を入れて仮固定する。その後、擁壁用ブロック１０ｃの内側に生コン５を入れて基礎ブロック２０とつなぐ。次に、２段目の擁壁用ブロック１０ｃを１段目の擁壁用ブロック１０ｃの上に置いて自立させる。砕石４を背面に入れて仮固定し、擁壁用ブロック１０ｃの内側に生コン５を入れて上下の擁壁用ブロック１０ｃを固定する。以後これらの工程をくりかえし、必要な高さまで段積みする。
【００２８】
この工法において、基礎ブロック２０の上面（搭載面）２２がほぼ水平で、基礎ブロック２０に接する最下段の擁壁用ブロック１０ｃの表板面（前壁）１６の下端１６ｂと裏板面（後壁）１７の下端１７ｂからなる底面部１３が水平となる。このため、擁壁用ブロック１０ｃの重心１０ｇは底面部１３の内側（領域内）に十分に入り、基礎ブロック２０の上で安定して自立している。また、擁壁用ブロック１０ｃの表板面１６の上部１６ａと裏板面１７の上部１７ａからなる上面部１２がほぼ水平で同じ高さとなるので、最下段の擁壁用ブロック１０ｃの上に他の擁壁用ブロック１０ｃを積み重ねても安定している。
【００２９】
図５（ｂ）に、この３分用の擁壁用ブロック１０ｃを用いて、５分勾配のもたれ擁壁１ａを施工（製造）する場合を示している。この施工には、例えば、搭載面２２が後方に傾いて、３分用の擁壁用ブロック１０ｃが５分の勾配となるようにセットできるように背面（後ろ側）が低い基礎ブロック９を使用することができる。しかしながら、基礎ブロック９に３分用の擁壁用ブロック１０ｃを設置すると、後ろ側に倒れてしまう。あるいは滑る。また、その擁壁用ブロック１０ｃの上に他の擁壁用ブロック１０ｃを載せた場合も同様である。自立型の擁壁用ブロック１０ｃの重心１０ｇが後方に移動し、底面部１３から外れるかあるいは外れやすくなるためである。擁壁用ブロック１０ｃの転倒を防止するために背面からサポーター８で支えたりする方法はあるが、砕石４を投入した後にそれを取り外す作業が必要となる。この作業は大変面倒であり、またブロック１０ｃの背面に人が入っての作業なので、サポーター８が外れると作業員はブロックと背面の土に挟まれて、大きな事故を引き起こす危険性がある。
【００３０】
図６に、本発明に係る製造方法（施工方法）により擁壁を製造（施工）した例を示している。この方法においては、搭載面２２が前方に傾斜した基礎ブロック２１と、勾配が５分用の擁壁用ブロック１０ａとを用いて、勾配が３分の擁壁１ｃを製造（施工）している。この基礎ブロック２１も中が空洞であり、擁壁用ブロック１０ａの底面部１３と接する搭載面２２が、前方、すなわち、擁壁用ブロック１０ａの前面部１１の側が低くなるように、水平方向に対して、すなわち、基礎ブロック２１の接地面２４に対して角度θ２（第２の角度）を成すように傾いている。その他の構成は、先に説明した基礎ブロック２０と共通の構成を備えている。すなわち、基礎ブロック２１においては、搭載面２２が、擁壁用ブロック１０ａの底面部１３と接し、水平に対して擁壁用ブロック１０ａの前面部１１が低くなるように第２の角度θ２で傾いた状態で擁壁用ブロック１０ａを搭載する搭載部としての機能を果たす。
【００３１】
具体的には、基礎ブロック２１の搭載面２２は、５分勾配と３分勾配との差分である９．９度だけ前方に傾いて、背面側の後壁２６の上端２６ａに対して前壁２５の上端２５ａが下がるように設計されている。すなわち、表面の前壁２５の高さが背面の後壁２６よりも低い。したがって、基礎ブロック２１の上に５分用の擁壁用ブロック１０ａを積み上げることにより擁壁用ブロック１０ａの表の前面部１１の勾配が３分となり、勾配が３分のもたれ擁壁１ｃを築造できる。
【００３２】
図６（ａ）に示した施工方法は図５（ａ）に示した施工方法と同様の手順で進められる。すなわち、基礎ブロック２１を基礎コンクリート３の上に敷設する。生コン５を基礎ブロック２１の空洞部（間隙）２９に投入する。その上に、最下段の擁壁用ブロック１０ａを積み、生コン５を入れる。擁壁用ブロック１０ａの背面に砕石４を入れる。生コン５を注入する前に砕石４により擁壁用ブロック１０ａの位置を固定してもよい。次に、２段目の擁壁用ブロック１０ａを積む。２段目の擁壁用ブロック１０ａも下側の前後に突起１５があるので、１段目の擁壁用ブロック１０ａの上面部１２が前に向かって傾斜していても上側の擁壁用ブロック１０ａは設置後、前側に動かず安定している。さらに、前側に傾斜させても擁壁用ブロック１０ａの重心１０ｇは底面部１３の範囲から外れず、中央付近に留まるので安定して自立し背面に倒れない。したがって、サポーターなどの設置は不要で、迅速に、また、安全に擁壁１ｃを施工できる。
【００３３】
擁壁用ブロック１０の勾配（前面部１１と底面部１３との成す角度、第１の角度）θ１は鋭角（９０度より小さい角度）であり、第１の角度θ１と、基礎ブロック２１の勾配（水平方向、または接地面２４と搭載面２２との成す角度、第２の角度）θ２とは以下の条件（１）を満たすことが望ましい。
０＜θ１＋θ２≦９０・・・（１）
条件（１）の条件を超えると積み上げられた勾配（擁壁の勾配）が逆勾配になり不安定になりやすい。
【００３４】
また、角度θ１およびθ２は以下の条件（２）を満たすことが望ましい。
０＜θ２≦θ１      ・・・（２）
基礎ブロック２１の勾配θ２が擁壁用ブロック１０の勾配θ１より大きくても擁壁１の施工は可能であるが、基礎ブロック２１と擁壁用ブロック１０との係合部分、すなわち、本例であれば擁壁用ブロック１０の凸部１５にかかる負荷が大きくなる。したがって、条件（２）の範囲であることが望ましい。
【００３５】
従来の施工方法では、同一の基礎ブロックの上に、異なる勾配の擁壁用ブロック１０を用いてそれぞれ必要とされる異なる勾配の法面勾配で施工していた。これに対し、本発明の方法においては、逆に基礎ブロック２１の勾配を変えることによって、３分勾配のもたれ擁壁１ｃの現場でも、４分勾配のもたれ擁壁１ｂの現場でも、５分勾配のもたれ擁壁１ａの現場でも、５分用の擁壁用ブロック１０ａで施工できる。
【００３６】
さらに、擁壁用ブロック１０の下側には突起１５が設けられており、前後の移動に対するストッパーとしての機能を果たす。すなわち、突起１５が基礎ブロック２１の内側の空洞部（凹み）２３に入り込みストッパーとなり、５分勾配の擁壁用ブロック１０ａを、表面を３分勾配にした状態で、より安定して自立させることができ、前側に下がる傾斜した基礎ブロック２１の搭載面２２の上に載せても前側に滑らず、また、前に倒れない。すなわち、この施工方法においては、後側に傾斜した自立型の擁壁用ブロック１０を、前側に傾斜した状態で設置することにより、重心位置を底面部１３の範囲内にでき、安定して自立させることができる。それとともに、下側に設けられた凸部（突起）１５がストッパーとなり、背面に滑ったり、あるいは背面に転倒することを抑制できる。このため、背面からサポーターで擁壁用ブロック１０を支持する作業は不要となる。
【００３７】
道路工事のもたれ擁壁、河川のもたれ擁壁では３分、４分および５分勾配の設計があるが、５分勾配が圧倒的に多く設計されている。したがって、５分勾配用の擁壁用ブロック１０ａの１種類で、これらの擁壁１ａ〜１ｃを施工できることにより、擁壁の施工費用を大幅に低減できる。
【００３８】
図６（ｂ）では、さらに、搭載面２２の前方に立ち上がり部（突起）２５ｓを含む基礎ブロック２１ａを用いて擁壁１ｃを施工する様子を示している。図７に、基礎ブロック２１ａの概要を平面図（図７（ａ））、正面図（図７（ｂ））および右側面図（図７（ｃ））を用いて示している。左側面図は右側面図と対称となり、底面図および背面図は、それぞれ平面図および正面図とほぼ同様である。
【００３９】
この基礎ブロック２１ａにおいては、立ち上がり部２５ｓの上端２５ｔを、後壁２６の上端２６ａ、すなわち、搭載面２２の後部に対応する高さに設定することが望ましい。これにより、前壁２５の実質的な高さと、後壁２６の高さとを合致させることができ、設計上の基礎ブロック２１ａの厚みを確保できる。すなわち、この例で基礎の厚みが２５０ｍｍで設計されていれば、前側も後側も２５０ｍｍの厚みを確保できる。設計上の厚みを確保するために、基礎ブロック２１において前壁２５の高さを２５０ｍｍに設定してもよい。この場合、傾斜した搭載面２２を確保するためには後壁２６をさらに高くする必要があり、基礎ブロック２１の断面が大きく、重く、コストアップになる。したがって、立ち上がり部２５ｓを設けることにより、設計上の厚みを確保でき、断面も小さく、また、重量を低減でき、コストも低減できる。また、立ち上がり部２５ｓを設けて前方の上端２５ｔと後方の上端２６ａとをほぼ水平にすることにより、保管や搬送の際に基礎ブロック２１ａを安定して積み上げることができる。したがって、基礎ブロック２１ａを多段に積んで在庫できる。
【００４０】
さらに、立ち上がり部２５ｓは、搭載面２２の上に積み上げられた擁壁用ブロック１０の前壁部１１の下端の前方をカバーし、ストッパーとしての機能も果たす。このため、擁壁用ブロック１０の底面部１３から突き出た凸部１５と協働して、擁壁用ブロック１０が搭載面２２の上を前方に滑ることを未然に防止でき、また、擁壁１を施工する際も、見た目にも安心感を与えるデザインとなる。したがって、基礎ブロック２１ａの上に多くの擁壁用ブロック１０を積み上げるデザインの擁壁１であっても、安心して作業を行うことができ、また、背面からの大きな荷重が加わっても、擁壁用ブロック１０が前に押し出されることを予防できる。
【００４１】
さらに、立ち上がり部２５ｓは垂直に立ち上がってもよいが、この基礎ブロック２１ａにおいては、立ち上がり部２５ｓの後ろ側の面２５ｕは、上端２５ｔが狭くなるように傾斜している。基礎ブロック２１ａは、立ち上がり部２５ｓと、擁壁用ブロック１０の前面１１との間でクリアランスを確保した後、上側に広がるような傾斜部２５ｕを有する。立ち上がり部２５ｓと擁壁用ブロック１０との間にクリアランスがないと擁壁用ブロック１０を敷設しにくい。立ち上がり部２５ｓと擁壁用ブロック１０の前面部１１との間は現場ｉで生コン５またはモルタルにより間詰めすることで埋めることができる。立ち上がり部２５ｓの後面が傾斜面２５ｕになり上に向かって広がっていると小さなクリアランスで、狭くても、間詰用の生コン５やモルタルを挿入しやすい。
【００４２】
図８に、搭載面２２の角度θ２が異なる基礎ブロック２１ａを用いて勾配が異なる擁壁を施工する例を示している。図８（ａ）は、搭載面２２の角度θ２が９．９度の基礎ブロック２１ａと、前面部１１の角度θ１が６３．４度の５分勾配の擁壁用ブロック１０ａとにより、３分勾配（７３．３度）の擁壁１ｃを施工する例を示す。図８（ｂ）は、搭載面２２の角度θ２が４．８度の基礎ブロック２１ａと、５分勾配の擁壁用ブロック１０ａとにより、４分勾配（６８．２度）の擁壁１ｂを施工する例を示す。図８（ｃ）は、搭載面２２が平面の基礎ブロック２０と、５分勾配の擁壁用ブロック１０ａとにより、５分勾配（６３．４度）の擁壁１ａを施工する例を示す。
【００４３】
擁壁用ブロック１０および基礎ブロック２０および２１は異なる形状であってもよい。例えば、基礎ブロック２０に凹み２３の代わりに凸部２３ａを設けてもよく、擁壁用ブロック１０の底面部１３に凸部２３ａと位置決めできる場所に凹部１５ｂを設けてもよい。また、擁壁用ブロック１０には上面部１２に凸部１５を設けてもよい。
【００４４】
図９（ａ）に上面部１２に凸部１５が設けられ、底面部１３に凹部１５ｂが設けられた擁壁用ブロック１０ｄを斜視図で示し、図９（ｂ）にその擁壁用ブロック１０ｄの側面図を示している。図１０に、搭載面２２に凸部２３ａを備えた基礎ブロック２１ｂの一例を斜視図により示している。
【００４５】
図１１は、図９に示した擁壁用ブロック１０ｄの典型的な断面構造を断面図（図１１（ａ））で示し、図１０に示した基礎ブロック２１ｂの典型的な断面構造を断面図（図１１（ｂ））で示している。図１２に示すように、基礎ブロック２１ｂと、５分勾配の擁壁用ブロック１０ｄとを組み合わせることにより、５分勾配の擁壁１ａを施工できる。図１３に示すように、基礎ブロック２１ｂと共通の構成で搭載面２２が前側に傾いた基礎ブロック２１ｃを提供することが可能である。また、図１４に示すように、搭載面２２が前側に傾き、さらに、搭載面２２の前側に立ち上がり部２５ｓを備えた基礎ブロック２１ｄを提供することが可能である。搭載面２２が傾いた基礎ブロック２１ｃまたは２１ｄを用いることにより、上記と同様に、５分勾配の擁壁用ブロック１０ｄを用いて、４分勾配または３分勾配の擁壁を施工することが可能である。
【００４６】
図１５に、５分勾配の擁壁用ブロック１０ｄを用いて３分勾配の擁壁１ｃを、擁壁パッキン５０を用いて製造（施工）する様子を示している。この例では、図１２に示す平坦な上面２２を備えた基礎ブロック２１ｂの上に、５分勾配の擁壁用ブロック１０ｄを搭載する際に、底面１３の後部（後壁１７の下部１７ｂ）と基礎ブロック２１ｂとの間に適切な厚みのパッキン５０を配置して擁壁用ブロック１０ｄをさらに角度θ２（９．９度）だけ前方に傾けることにより３分勾配の擁壁１ｃを施工できる。基礎ブロック２１ｂの代わりに平坦に施工された基礎コンクリートの上にパッキン５０を用いて、最下段（最下層）の擁壁用ブロック１０ｄを配置してもよい。パッキン５０の代わりに、基礎コンクリートを前方に所定の角度だけ傾けて施工してもよい。
【００４７】
図１６に、５分勾配の擁壁用ブロック１０ａを用いて３分勾配の擁壁を、基礎ブロック２１ｅを用いて製造（施工）する様子を示している。この例の基礎ブロック２１ｅは、前壁２５の上端２５ａと、後壁２６の上端２６ａが水平であり、上端２５ａおよび２６ａに角度θ２に相当する段差が設けられている。この基礎ブロック２１ｅにおいては、段差のある上端２５ａおよび２６ａが、擁壁用ブロック１０ａの底面部１３と接し、水平（底面２４、基礎コンクリート３）に対して、擁壁用ブロック１０ａの前面部１１が低くなるように第２の角度θ２で傾いた状態で擁壁用ブロック１０ａを搭載する搭載部２２としての機能を果たす。
【００４８】
なお、上記で説明した擁壁用ブロックおよび基礎ブロックの形状は一例であり、本件の特許請求の範囲の条件を満足するものであればよく、形状は、様々なバリエーションがあり得る。また、上記では、基礎ブロックを用いて擁壁を施工する例を説明しているが、搭載面２２に相当する、擁壁用ブロックを積み上げる基礎となる斜面を現場でコンクリート等により施工することも可能である。
【００４９】
上記において説明したように、本発明により、複数の勾配の擁壁を、安全に、一種類すなわち、一つの勾配の擁壁用ブロックを使用することにより製造できる。したがって、擁壁用ブロックを提供する製造メーカの負担を減らすことができる。また、同一の施工現場で、異なる勾配のもたれ擁壁が施工される場合に、一種類または限られた種類のブロックを現場に搬入することにより現場でのストック場所の面積を小さくできる。上記においては、３分、４分、５分の異なる勾配のもたれ擁壁に対応する例を説明しているが、勾配の種類はこれらに限定されない。また、上述した角度θ１およびθ２の値は例示に過ぎず、この角度に限定されない。さらに、例示した角度θ１およびθ２の値は設計値であり、設計および製造公差の範囲に収まっていればよく、公差は適宜管理される。
【００５０】
本発明においては、異なる勾配の擁壁を施工するために、搭載面の勾配の異なる基礎ブロックを採用する。したがって、基礎ブロックの種類は増える可能性がある。しかしながら、基礎ブロックの数は擁壁用ブロック本体に比べて必要な数は極めて少ない。すなわち、基礎ブロックは最下段の擁壁用ブロックを支持するためだけに用いられ、擁壁を施工するために必要となる擁壁用ブロックの数に対して非常に少ない。特に、最近の傾向として擁壁用ブロック本体は表面に石模様など、景観に配慮した製品が必要とされている。このため化粧面板が必要である。化粧面板は高価となりしたがって擁壁用ブロックの型枠の製作費が極めて高価である。一方、基礎ブロックは形状が簡単で、模様など必要ないため安価である。したがって、基礎ブロックの種類を増やしても、擁壁用ブロック本体の型枠を増やすより極めて経済的である。また、基礎ブロックはブロックに比べて高く段積みしやすい形状なのでストックヤードも少なくて済む。したがって、本発明により、勾配の異なる擁壁を、経済的に、安全に施工することが可能となる。
【符号の説明】
【００５１】
１ａ〜１ｃ  擁壁、  １０、１０ａ〜１０ｄ  擁壁用ブロック
２０、２１ａ〜２１ｅ  基礎ブロック
【図１】
2019127718.tif 000003
【図２】
2019127718.tif 000004
【図３】
2019127718.tif 000005
【図４】
2019127718.tif 000006
【図５】
2019127718.tif 000007
【図６】
2019127718.tif 000008
【図７】
2019127718.tif 000009
【図８】
2019127718.tif 000010
【図９】
2019127718.tif 000011
【図１０】
2019127718.tif 000012
【図１１】
2019127718.tif 000013
【図１２】
2019127718.tif 000014
【図１３】
2019127718.tif 000015
【図１４】
2019127718.tif 000016
【図１５】
2019127718.tif 000017
【図１６】
2019127718.tif 000018